(57)【特許請求の範囲】
【請求項１】
自動販売機の販売機本体に対して開閉可能に連結された外扉の正面に取付けられる自動販売機用フロントカバーであって、
前記外扉の正面と対向して前記フロントカバーの背面に取付けられたカバー取付け具に、前記外扉の上面に係止される上部係止具と、該外扉の下面に係止される下部係止具とを備え、
前記上部係止具又は下部係止具のいずれか一方を、前記外扉の正面と対向する前後方向に対して揺動可能に設けた
自動販売機用フロントカバー。
【請求項２】
前記外扉と前記フロントカバーとの開閉側の側面に取付けられる１つ以上の側部取付け具を備え、
前記側部取付け具を、
前記外扉の開閉側に対して背面から装着されるフック部と、前記フロントカバーの開閉側に対して背面から固定された挟持部と、
前記フック部と前記挟持部とを前記外扉の開閉側が厚み方向に締付けられる方向に対して固定する固定手段とで構成した
請求項１に記載の自動販売機用フロントカバー。
【請求項３】
前記上部係止具を、
前記フロントカバーの上部背面に取付けられる上部固定部と、前記外扉の上面に係止される上部フックとで構成した
請求項１又は２に記載の自動販売機用フロントカバー。
【請求項４】
前記下部係止具を、
前記フロントカバーの背面に取付けられる下部固定部と、前記外扉の下面に係止される下部フックとで構成した
請求項１〜３のいずれか一つに記載の自動販売機用フロントカバー。
【請求項５】
前記上部係止具を、
前記下部係止具の上端に対して前記外扉の正面と対応する前後方向に向けて揺動可能に連結した
請求項１〜４のいずれか一つに記載の自動販売機用フロントカバー。
【請求項６】
前記上部係止具を、前記下部係止具の上端に対してバネ部を介して連結した
請求項１〜５のいれか一つに記載の自動販売機用フロントカバー。
【請求項７】
前記フロントカバーの背面に取付けられた前記カバー取付け具の上部係止具と下部係止具とを上下方向に連結した
請求項１〜６のいずれか一つに記載の自動販売機用フロントカバー。
【請求項８】
自動販売機の販売機本体に対して開閉可能に連結された外扉の正面に取付けられる自動販売機用フロントカバー取付け方法であって、
前記外扉の正面と対向する前記フロントカバーの背面にカバー取付け具を予め取付けておき、
前記カバー取付け具に備えた上部係止具又は下部係止具のいずれか一方を、前記外扉の正面と対向する前後方向に揺動し、該上部係止具と下部係止具とを前記外扉の上面と下面とにそれぞれ係止して、前記フロントカバーを前記外扉の正面が覆われるように取付ける
自動販売機用フロントカバー取付け方法。
【発明の詳細な説明】
【技術分野】
【０００１】
この発明は、例えば飲料、煙草、菓子等の商品を販売する自動販売機の外扉を装飾するような自動販売機用フロントカバー及び取付け方法に関する。
【背景技術】
【０００２】
昨今、ジュースなどの飲料やタバコなどをはじめ様々な商品を手軽に購入できる自動販売機は、その利便性の高さから様々な場所に数多く設置されている。  
一方で自動販売機は、企業にとって外観に施した塗装や装飾で新商品などをアピールする広告としての役割もある。ところが、一旦、自動販売機が設置されると、外観に施した塗装などは、時間とともにデザイン的にも古くなり、さらに商品サイクルに合わせて変更することが容易ではなかった。  
そこで商品などの入替わりに伴い自由に変更することができ、インパクトのある装飾などができる着脱可能なフロントカバーが提案されている（特許文献１参照）。
【０００３】
特許文献１は、扉カバー取付け治具を、上係止部の扉天井側係止部を扉の天井側に係止し、下係止具の扉底側係止部を扉の底側に係止して、扉の幅方向であって販売機本体との連結側正面に縦向きに且つ扉の手前に突出して取付けた後、扉カバーを、扉カバー取付け治具の外側から扉の正面に被せて扉カバー取付け治具に取付けるカバー付自動販売機が提案されている。
【０００４】
しかし、特許文献１では、扉カバー取付け治具を扉カバーの背面に取付けた後、下係止具と上係止具とを連結する連結ネジを締付けることは構造的に不可能である。また、扉カバー取付け治具を扉の連結側正面に取付けた後、扉カバーを扉の正面に被せて扉カバー取付け治具に固定するので、自動販売機が設置された場所にて、扉カバーを扉に取付ける作業に手間及び時間が掛かる。
【先行技術文献】
【特許文献】
【０００５】
【特許文献１】特開２０１１−７０６７７号公報
【発明の概要】
【発明が解決しようとする課題】
【０００６】
この発明は、自動販売機の外扉を加工することなく、フロントカバーを外扉の正面に取付けることができる自動販売機用フロントカバー及び取付け方法を提供することを目的とする。
【課題を解決するための手段】
【０００７】
この発明は、自動販売機の販売機本体に対して開閉可能に連結された外扉の正面に取付けられる自動販売機用フロントカバーであって、前記外扉の正面と対向して前記フロントカバーの背面に取付けられたカバー取付け具に、前記外扉の上面に係止される上部係止具と、該外扉の下面に係止される下部係止具とを備え、前記上部係止具又は下部係止具のいずれか一方を、前記外扉の正面と対向する前後方向に対して揺動可能に設けた自動販売機用フロントカバーであることを特徴とする。
【０００８】
上述のフロントカバーの背面に、外扉の正面と対向してカバー取付け具を予め取付けておくので、フロントカバーを外扉の正面が覆われるように被せる際、フロントカバーの背面に取付けたカバー取付け具の上部係止具又は下部係止具のいずれか一方を、外扉の正面と対向する前後方向に揺動して、外扉の上面に対して係止が許容される傾き角度に可変調節する。その下部係止具と下部係止具とを外扉の上面と下面とにそれぞれ係止して、外扉の上面と下面とを挟み込むようにして取付ける。
【０００９】
これにより、自動販売機の外扉を加工することなく、フロントカバーを外扉の正面に取付けることができる。  
この結果、フロントカバーを、例えば既に設置された自動販売機の外扉正面に取付ける作業が現場にて容易に行え、取付けに要する時間が短くなり作業性が向上する。
【００１０】
なお、カバー取付け金具を外扉の正面に取付けた後、フロントカバーを取付け金具の外側から外扉の正面に被せてカバー取付け金具に固定することもできるので、自動販売機が設置された場所や状況に応じて、フロントカバーの取付け方法を選択することができる。
【００１１】
また、この発明の態様として、前記外扉と前記フロントカバーとの開閉側の側面に取付けられる１つ以上の側部取付け具を備え、前記側部取付け具を、前記外扉の開閉側に対して背面から装着されるフック部と、前記フロントカバーの開閉側に対して背面から固定された挟持部と、前記フック部と前記挟持部とを前記外扉の開閉側が厚み方向に締付けられる方向に対して固定する固定手段とで構成することができる。
【００１２】
上述の固定手段は、例えばフック部と挟持部とを外扉の開閉側が厚み方向に締付けることができるネジあるいはボルト等で構成することができる。  
すなわち、上述の外扉の開閉側に対して背面から装着したフック部と、フロントカバーの開閉側に対して背面から固定した挟持部とを、外扉の開閉側が厚み方向に締付けられる方向に対して固定手段にて固定する。  
この結果、フック部と挟持部とによって外扉の開閉側が厚み方向に締付けられるので、フロントカバーを外扉の正面に被せられた状態にガタ付きなく固定することができる。
【００１３】
また、この発明の態様として、前記上部係止具を、前記フロントカバーの背面に取付けられる上部固定部と、前記外扉の上面に係止される上部フックとで構成することができる。  
すなわち、上部係止具の上部フックは外扉の上面に係止するだけであるので、外扉に加工を施すことなく、フロントカバーの上側を容易に外れないように外扉の正面にしっかり固定できる。このため、外扉の開閉時に外れることなく商品補充やメンテナンスを容易に行える。
【００１４】
また、この発明の態様として、前記下部係止具を、前記フロントカバーの背面に取付けられる下部固定部と、前記外扉の下面に係止される下部フックとで構成することができる。  
すなわち、下部係止具の下部フックは外扉の下面に係止するだけであるので、フロントカバーの取付け作業に必要な空間を外扉の下方に確保することが難しくても、上述と同様に外扉に加工を施すことなく、フロントカバーの下側を容易に外れないように外扉の正面にしっかり固定できる。
【００１５】
また、この発明の態様として、前記上部係止具を、前記下部係止具の上端に対して前記外扉の正面と対応する前後方向に向けて揺動可能に連結することができる。  
上述の上部係止具を外扉の上面に係止する際、上部金具を外扉の正面と対向する前後方向に揺動して、外扉の上面に対して係止が許容される傾き角度に可変する。  
これにより、フロントカバーの全体を前後方向に傾けなくても、上部係止具を前後方向に揺動するだけで外扉の上面に係止することができる。
【００１６】
また、この発明の態様として、前記上部係止具を、前記下部係止具の上端に対してバネ部を介して連結することができる。  
上述のバネ部は、例えば板バネ、コイルスプリング、ゴム部材等で構成することができる。
【００１７】
すなわち、上部係止具を、バネ部の復元力に抗して上方に引き上げるか、下方に引き下げる等して外扉の上面に係止するので、外扉の上面の高さに応じて係止される高さを可変することができる。また、バネ部材の復元力によって、上部係止具と下部係止具とが外扉の上面と下面を挟み込むように係止される。  
これにより、上部係止具と下部係止具とを、外扉の上面と下面とに対して係止された状態を維持することができる。  
この結果、フロントカバーを外扉の正面に取付けた状態を保つことができる。
【００１８】
また、この発明の態様として、前記フロントカバーの背面に取付けられた前記カバー取付け具の上部係止具と下部係止具とを上下方向に連結することができる。  
上述の上部係止具と下部係止具を、フロントカバーの背面に沿って上下方向に連結して取付けることにより、フロントカバーが撓んだり、変形したりしにくくなる。  
この結果、フロントカバーの構造的強度及び耐久性が向上する。
【００１９】
また、この発明は、自動販売機の販売機本体に対して開閉可能に連結された外扉の正面に取付けられる自動販売機用フロントカバーの取付け方法であって、前記外扉の正面と対向する前記フロントカバーの背面にカバー取付け具を予め取付けておき、前記カバー取付け具に備えた上部係止具又は下部係止具のいずれか一方を、前記外扉の正面と対向する前後方向に揺動し、該上部係止具と下部係止具とを前記外扉の上面と下面とにそれぞれ係止して、前記フロントカバーを前記外扉の正面が覆われるように取付ける自動販売機用フロントカバー取付け方法であることを特徴とする。  
上述のフロントカバーの背面に、外扉の正面と対向してカバー取付け具を予め取付けておくので、フロントカバーを外扉の正面に対して作業者一人でも容易に取付けることができる。また、フロントカバーやカバー取付け具の位置調整などが不要であり、フロントカバーの取付け及び交換にかかる時間を短縮することができる。
【発明の効果】
【００２０】
この発明によれば、カバー取付け具を外扉の正面と対向するフロントカバーの背面に予め取付けておくので、自動販売機の外扉を加工することなく、フロントカバーを外扉の正面に取付ける作業が容易に行えるとともに、取付けに要する時間が短くなり作業性が向上する。
【図面の簡単な説明】
【００２１】
【図１】フロントカバーを自動販売機の外扉に取付ける方法の斜視図。
【図２】外扉の開放状態を示す左端側平面図。
【図３】フロントカバーに取付けられる取付け金具の斜視図。
【図４】上部金具及び下部金具の上端側斜視図。
【図５】図４の上部金具及び下部金具の縦断側面図。
【図６】フロントカバーに取付けられる下部金具の下端側斜視図。
【図７】取付け金具を取付けたフロントカバーの縦断側面図。
【図８】下部金具を取付けたフロントカバーの左端側横断面図。
【図９】フロントカバーに取付けられる側部金具の斜視図。
【図１０】外扉に取付けられるフロントカバーの縦断側面図。
【図１１】外扉に取付けられたフロントカバーの縦断側面図。
【図１２】側部金具にて固定される外扉及びフロントカバーの右端側斜視図。
【図１３】側部金具にて固定された外扉及びフロントカバーの右端側斜視図。
【図１４】図１３の側部金具にて固定された外扉及びフロントカバーの右端側横断面図。
【図１５】フロントカバーの他の取付け方法の縦断側面図。
【図１６】上下に分離した上部金具と下部金具とによるフロントカバーの他の取付け方法の縦断側面図。
【発明を実施するための形態】
【００２２】
この発明の一実施形態を以下図面に基づいて詳述する。  
図１はフロントカバー１０１を自動販売機１００の外扉１００ａに取付ける方法の斜視図、図２は外扉１００ａの開放状態を示す左端側平面図である。
【００２３】
図１に示すように、フロントカバー１０１は、自動販売機１００における外扉１００ａの左端正面よりも中央寄り正面と対向するフロントカバー１０１の左側背面に取付けた取付け金具１０４と、外扉１００ａ及びフロントカバー１０１の開閉側右側面に取付けた側部金具１５０とを介して外扉１００ａの正面に固定される。
【００２４】
自動販売機１００は、略箱形状で内部に飲料などの商品が収納されている販売機本体１００ｂと、販売機本体１００ｂの左端正面近傍の連結側に設けた略垂直軸のヒンジ１０７と、販売機本体１００ｂの正面と同じ大きさで左端近傍をヒンジ１０７に対して開閉可能に連結した外扉１００ａとで構成している。このヒンジ１０７は、販売機本体１００ｂの左端正面より少し販売機本体１００ｂの中央寄りに設けている。
【００２５】
外扉１００ａは、外扉１００ａの上部から商品サンプルの陳列棚と陳列した商品に対応する商品選択ボタンとを備えた商品展示窓部１０８と、その下に紙幣や硬貨を投入する貨幣投入口１０９と、外扉１００ａの開閉を施錠する施錠部１１０と、その下に購入した商品を取り出す商品取出口１１１と、お釣りの硬貨を受取る硬貨返却口１１２とで構成している。
【００２６】
フロントカバー１０１は、アクリルなどの樹脂部材により略長方形に形成され、外扉１００ａの正面全体が覆われる大きさ及び形状に形成している。また、フロントカバー１０１の正面には、外扉１００ａの商品展示窓部１０８と、貨幣投入口１０９と、施錠部１１０と、商品取出口１１１と、硬貨返却口１１２に対応する位置に開口を設けている。
【００２７】
フロントカバー１０１の左側面には、取付け金具１０４を固定するためのネジ孔１０１ａが略垂直方向に対して等間隔を隔てて複数箇所設けている。また、フロントカバー１０１の右側面には、側部金具１５０を固定するためのネジ孔１０１ｂが略垂直方向に対して等間隔を隔てて複数箇所設けている。  
なお、フロントカバー１０１の背面には、商品展示窓部１０８に対応する開口の下部と、商品取出口１１１に対応する開口の上部に両面粘着テープ１１３を貼着している。
【００２８】
さらに、図２に示すように、フロントカバー１０１は、外扉１００ａの全開時において、販売機本体１００ｂの左側正面に対する当接が回避されるように外扉１００ａの横幅より幅狭に形成している。また、フロントカバー１０１の左側縁部が外扉１００ａのヒンジ１０７よりも該外扉１００ａの中央寄りとなる大きさに形成している。なお、フロントカバー１０１の右側面は、外扉１００ａと右側面とほぼ同一面上で固定されている。
【００２９】
これにより、外扉１００ａの開閉が制限されることがなく、商品の補充やメンテナンスを行うことができる。また、自動販売機１００に隣接するほかの自動販売機や自動販売機１００の周囲を覆うように設置された化粧パネルなどにも干渉しないようにすることができる。
【００３０】
取付け金具１０４は、外扉１００ａのヒンジ１０７よりも中央寄り正面と対向するフロントカバー１０１の左端背面に取付けられ、外扉１００ａのヒンジ１０７近傍の上面と下面を挟み込むようにして取付けられる上部金具１２０と下部金具１３０とで構成している。
【００３１】
次に、図３〜図６を用いて取付け金具１０４の構造について説明する。図３はフロントカバー１０１に取付けられる取付け金具１０４の斜視図、図４は上部金具１２０及び下部金具１３０の上端側斜視図、図５は図４の上部金具１２０及び下部金具１３０の縦断側面図、図６はフロントカバー１０１に取付けられる下部金具１３０の下端側斜視図である。
【００３２】
図４に示すように、上部金具１２０は、板状の金属部材を屈曲加工して形成されており、主に外扉１００ａの上面に係止される上部フック１２１と、主に外扉１００ａの正面に押し当てられる上部連結部１２２とが直角に連なる形状に形成している。
【００３３】
上部フック１２１は、外扉１００ａの上面に対して略水平に載置され該外扉１００ａの上面の厚みと同程度の奥行きに形成した上面載置部１２１ａと、上面載置部１２１ａの後端を略直角に下方へ屈曲して形成した上部背面係止部１２１ｂと、外扉１００ａの前端側上面に突出する凸部を跨ぐように側面から見て門形状に屈曲して形成した上面跨ぎ部１２１ｃとで構成している。
【００３４】
上部フック１２１を係止する外扉１００ａの上面に、例えばシール処理を施した凸部が存在する場合、上部フック１２１の上面跨ぎ部１２１ｃを、外扉１００ａの上面に突出する凸部を跨ぐように載置する。
【００３５】
上部連結部１２２は、上面跨ぎ部１２１ｃの前端から下方へ略直角に屈曲して形成した上部正面当接部１２２ａと、上部正面当接部１２２ａの左端から前方へ略直角に屈曲して形成した鉛直な上部側壁部１２２ｂと、上部正面当接部１２２ａの下端から前方へ略直角に屈曲して形成した上部水平板部１２２ｃと、上部水平板部１２２ｃの前端から下方へ略直角に屈曲して形成した垂直部１２２ｄとで構成している。
【００３６】
上部水平板部１２２ｃの上面には、後述する垂直部１３１ｃの挿入が許容される上方から見て矩形の長孔１２２ｅを上部正面当接部１２２ａの下端寄りの位置に幅方向に形成している。また、上部側壁部１２２ｂの上端側には、フロントカバー１０１の左側縁部を固定するためのネジ孔１２２ｆを設けている。
【００３７】
なお、フロントカバー１０１のネジ孔１０１ａを縦長に形成しておけば、例えば上部金具１２０の上部フック１２１を外扉１００ａの上面に係止した際、その外扉１００ａ上面の高さに応じて上部側壁部１２２ｂのネジ孔１２２ｆの位置が上下に変位することがあっても、ネジ孔１０１ａ，１２２ｆを介して、上部側壁部１２２ｂをフロントカバー１０１の左側縁部にネジ１１６で固定することができる。
【００３８】
下部金具１３０は、板状の金属バネ部材を屈曲加工して形成されており、主に上部連結部１２２に連結される下部連結部１３１と、主に外扉１００ａの正面に押し当てられる下部固定部１３２とが直角に連なる形状に形成している。また、図６に示すように、主に外扉１００ａの下面に係止される下部フック１３３が下部固定部１３２の下端と直角に連なる形状に形成している。
【００３９】
下部連結部１３１は、後述する下部固定部１３２の下部側面当接部１３２ａに固定され該下部側面当接部１３２ａの上端よりも上方に突出する長さに形成した下部起立部１３１ａと、下部起立部１３１ａの上端から後方へ略直角に屈曲して形成した下部水平板部１３１ｂと、下部水平板部１３１ｂの後端から下方へ略直角に屈曲して形成した垂直部１３１ｃとで構成している。
【００４０】
垂直部１３１ｃは、上部水平板部１２２ｃの長孔１２２ｅに対して上方から上下動可能及び前後動可能に挿入している。また、長孔１２２ｅよりも下方に突出した垂直部１３１ｃの下端には、長孔１２２ｅの下面側周縁部に対して係止される抜止め片１３１ｄを形成している。
【００４１】
これにより、上部水平板部１２２ｃの長孔１２２ｅを中心として、上部金具１２０を、図５中の仮想線で示す傾斜姿勢と、同図中の実線で示す起立姿勢とに外扉１００ａの正面と対向する前後方向に対して揺動可能に設けている。  
また、金属バネ部材からなる下部連結部１３１を上下方向に可撓すれば、上部金具１２０を、外扉１００ａの上面の高さに応じて該上面に対して係止される高さに上下動することができる。
【００４２】
下部固定部１３２は、下部起立部１３１ａの下端に固定されフロントカバー１０１の下端に至る長さに形成した下部側面当接部１３２ａと、下部側面当接部１３２ａの前後端から右方へ略直角に屈曲して形成した２つの下部側壁部１３２ｂとで構成している。  
下部側面当接部１３２ａの中央面には、フロントカバー１０１の左側縁部を固定するためのネジ孔１３２ｃが略垂直方向に等間隔を隔てて複数箇所設けている。
【００４３】
下部フック１３３は、板状の金属部材を屈曲加工して形成され、外扉１００ａの正面に押し当てられる下部側壁部１３２ｂの下端に固定している。また、下部フック１３３の下端から後方へ略直角に屈曲して外扉１００ａの下面の厚みと同程度の奥行きに形成した下部平面部１３３ａと、下部平面部１３３ａの後端から上方へ略直角に屈曲して形成した下部背面掛止部１３３ｂとで構成している。
【００４４】
次に、図７、図８を用いて取付け金具１０４をフロントカバー１０１に取付ける方法について説明する。図７は取付け金具１０４を取付けたフロントカバー１０１の縦断側面図、図８は下部金具１３０を取付けたフロントカバー１０１の左端側横断面図である。
【００４５】
図７、図８に示すように、下部金具１３０をフロントカバー１０１の左側縁部に沿って該左側背面に装着した後、ネジ孔１０１ａ，１３２ｃを介して、フロントカバー１０１の左側縁部と下部側面当接部１３２ａとをネジ１１５で固定して、取付け金具１０４をフロントカバー１０１の左側背面に取付ける。
【００４６】
次に、図９を用いて側部金具１５０の構造について説明する。図９はフロントカバー１０１に取付けられる側部金具１５０の斜視図である。  
側部金具１５０は、板状の金属部材を屈曲加工して形成され、外扉１００ａの開閉側の右側壁部に対して背面から装着される側面フック１５１と、フロントカバー１０１の右側縁部に対して背面から固定される側面挟持部１５３とで構成している。
【００４７】
側面フック１５１は、外扉１００ａの右側壁部の内面、背面、外面を跨ぐように上方から見てコ字状の部材に形成している。また、コ字状の部材は、背面と対応する中央の部材が外扉１００ａの右側壁部の幅とほぼ同じ横幅に形成した背面当接部１５１ａと、内面及び外面と対応する左右の部材が背面当接部１５１ａの左右端を略直角に前方へ屈曲して形成した２つの背面係止部１５１ｂ，１５１ｃとで構成している。
【００４８】
側面フック１５１の後端側中央部には、背面当接部１５１ａの中央部から背面係止部１５１ｃの後端に連なる開口部１５１ｄを開口している。また、開口部１５１ｄは、後述する連結片１５２ａの挿入が許容される大きさ及び形状に形成している。
【００４９】
背面係止部１５１ｂの開口部１５１ｄと対応する後端側には、背面係止部１５１ｂの後端から後方に延びる連結片１５１ｅを形成している。また、連結片１５１ｅには、側面フック１５１と側面挟持部１５３とを固定するためのネジ孔１５１ｆを設けている。
【００５０】
側面挟持部１５３の後端には、外扉１００ａの右側壁部の外面に対して押し当てられる側面当接部１５２が連なるように形成している。また、側面当接部１５２は、外扉１００ａの厚みと同程度あるいは略半分の奥行きを有している。
【００５１】
側面挟持部１５３は、側面当接部１５２の前端から前方に延びる金属部材を上下方向に３分割して短冊状の部材に形成している。また、短冊状の部材は、中央の部材が側面当接部１５２の前端からフロントカバー１０１の板厚とほぼ同じ横幅で右方向に略Ｌ字に屈曲した側面固定部１５３ａと、上下の部材が奥行き方向の根元付近と中央付近とで左方向に緩やかに略Ｌ字に屈曲した２つの側面保持部１５３ｂとで構成している。
【００５２】
側面固定部１５３ａには、フロントカバー１０１の右側縁部を固定するためのネジ孔１５３ｃを設けている。また、側面当接部１５２の後端側中央部には、側面当接部１５２の後端から後方に延びる連結片１５２ａを形成している。
【００５３】
連結片１５２ａには、略水平方向からネジ１１６の挿入が許容される孔部１５２ｂを設けている。さらに、側面当接部１５２の右側平面には、背面係止部１５１ｃの内面に当接される凸部１５２ｃを上下端部付近に形成している。
【００５４】
次に、図１２を用いて側部金具１５０をフロントカバー１０１に取付ける方法について説明する。図１２は側部金具１５０にて固定される外扉１００ａ及びフロントカバー１０１の右端側斜視図である。
【００５５】
同図に示すように、フロントカバー１０１の右側縁部に対して背面から差し込むようにして、側面挟持部１５３の側面固定部１５３ａと側面保持部１５３ｂとの間にフロントカバー１０１の右側縁部を挟み込んだ後、ネジ孔１０１ｂ，１５３ｃを介して、側面固定部１５３ａをフロントカバー１０１の右側縁部に対してネジ１１６で固定し、側面挟持部１５３をフロントカバー１０１の右側縁部に取付ける。  
なお。実施形態におけるネジ１１６は、回動操作具１１７(図１２参照)にて締込み方向及び緩め方向に回動操作する。
【００５６】
次に、図１０〜図１４を用いて、フロントカバー１０１を、自動販売機１００の外扉１００ａに取付ける方法について説明する。  
図１０は外扉１００ａに取付けられるフロントカバー１０１の縦断側面図、図１１は外扉１００ａに取付けられたフロントカバー１０１の縦断側面図、図１２は側部金具１５０にて固定される外扉１００ａ及びフロントカバー１０１の右端側斜視図、図１３は側部金具１５０にて固定された外扉１００ａ及びフロントカバー１０１の右端側斜視図、図１４は図１３の側部金具１５０にて固定された外扉１００ａ及びフロントカバー１０１の右端側横断面図である。
【００５７】
先ず、フロントカバー１０１の背面に貼着した両面粘着テープ１１３（図１参照）の離型紙（図示せず）を剥離して、外扉１００ａのヒンジ１０７より中央寄り正面が覆われるように被せる。その両面粘着テープ１１３の粘着力によりフロントカバー１０１を仮固定する。
【００５８】
次に、図１０に示すように、フロントカバー１０１を外扉１００ａの正面に被せる際、フロントカバー１０１の左側背面に取付けた取付け金具１０４の下部金具１３０の下部フック１３３を外扉１００ａの下面に係止する。
【００５９】
続いて、図１１に示すように、下部連結部１３１の復元力に抗して、上部金具１２０を上方に引き上げ、外扉１００ａの上面に対して係止される高さに可変調節する。  
また、フロントカバー１０１の全体及び上部金具１２０を外扉１００ａの正面と対向する前後方向に揺動して、上部金具１２０の上部フック１２１を外扉１００ａの上面に係止する。
【００６０】
フロントカバー１０１のネジ孔１０１ａと上部側壁部１２２ｂのネジ孔１２２ｆとを連通した後、ネジ１１６をフロントカバー１０１の左側からネジ孔１０１ａ，１２２ｆに螺合して、上部側壁部１２２ｂをフロントカバー１０１の左側背面に固定する。
【００６１】
これにより、上部金具１２０の上部フック１２１と、下部金具１３０の下部フック１３３とが外扉１００ａのヒンジ１０７近傍の上面と下面を挟み込んだ状態に固定されるので、フロントカバー１０１を、外扉１００ａのヒンジ１０７より中央寄り正面が覆われるように仮固定することができる。
【００６２】
一方、フロントカバー１０１を外扉１００ａの正面に被せた際、図１２に示すように、フロントカバー１０１の右側縁部に取付けた側部金具１５０の側面挟持部１５３と対応して、側面フック１５１を、外扉１００ａの右側縁部に対して背面から引っ掛けるように装着し、背面当接部１５１ａが外扉１００ａの右側縁部に対して押し当てられる位置まで差し込む。
【００６３】
さらに、図１３、図１４に示すように、フロントカバー１０１の右側縁部に取付けた側面挟持部１５３の連結片１５２ａを、側面フック１５１の開口部１５１ｄに正面から挿入して連結片１５１ｅに対して左右方向に対向した後、側面当接部１５２の孔部１５２ｂを介して、連結片１５１ｅのネジ孔１５１ｆにネジ１１６を螺合し、外扉１００ａの右側縁部を、側面フック１５１の背面係止部１５１ｂと側面挟持部１５３の側面当接部１５２とで厚み方向に締付けて固定する。  
これにより、フロントカバー１０１の右側縁部を外扉１００ａの右側縁部に固定することができる。
【００６４】
この結果、フロントカバー１０１は、自動販売機１００の外扉１００ａに加工を施すことなく取付けることができる。また、フロントカバー１０１を外扉１００ａの正面に対して作業者一人でも容易に取付けることができる取付け方法を実現できる。
【００６５】
また、上部金具１２０と下部金具１３０とを上下方向に連結したままフロントカバー１０１の左側背面に沿って取付けるので、フロントカバー１０１の左側が撓んだり、変形したりしにくくなる。  
この結果、フロントカバー１０１の構造的強度及び耐久性が向上する。
【００６６】
また、外扉１００ａの開閉を妨げることなく、該外扉１００ａの略正面全面が覆われる大きさのフロントカバー１０１を取付けることができる。さらに、フロントカバー１０１の取付け作業を左右方向から行うことにより、フロントカバー１０１は、着脱作業が容易に行え、かつ固定箇所のないフロントカバー１０１の上部を活かしたインパクトのある装飾をすることもできる。
【００６７】
次に、図１５を用いてフロントカバー１０１を外扉１００ａに取付ける他の取付け方法を説明する。図１５はフロントカバー１０１の他の取付け方法の縦断側面図である。  
先ず、フロントカバー１０１の左側背面に取付けた取付け金具１０４の上部金具１２０の上部フック１２１を外扉１００ａの上面に係止した後、下部連結部１３１の復元力に抗して、フロントカバー１０１の全体を下方に引き下げながら、フロントカバー１０１の全体及び下部金具１３０を外扉１００ａの正面と対向する前後方向に揺動して、下部金具１３０の下部フック１３３を外扉１００ａの下面に係止して取付ける。
【００６８】
このとき、下部連結部１３１の復元力により、上部金具１２０の上部フック１２１と、下部金具１３０の下部フック１３３とが外扉１００ａのヒンジ１０７近傍の上面と下面を挟み込むように係止される。  
一方、フロントカバー１０１の右側縁部は、図１２〜図１４に示すように、側部金具１５０を用いて外扉１００ａの右側縁部に固定する。
【００６９】
つまり、フロントカバー１０１を、上述のようにして外扉１００ａの正面が覆われるように取付けるので、前記実施形態と略同等の作用及び効果を奏することができる。
【００７０】
次に、図１６を用いてフロントカバー１０１を、取付け金具１０４の上下に分離した上部フック１２１と下部フック１３３とにより外扉１００ａに取付ける他の取付け方法を説明する。図１６は上下に分離した上部金具１２０と下部金具１３０とによるフロントカバー１０１の他の取付け方法の縦断側面図である。
【００７１】
下部金具１３０を、フロントカバー１０１の上下長さよりも短尺に形成した上側金具１３０ａと下側金具１３０ｂとに上下分離して、上部金具１２０の上部フック１２１を上側金具１３０ａの上端側に連結し、下部金具１３０の下部フック１３３を下側金具１３０ｂの下端側に固定している。
【００７２】
先ず、フロントカバー１０１の左側背面上部に取付けた上部フック１２１を外扉１００ａの上面に係止し、フロントカバー１０１の左側背面下部に取付けた下部フック１３３を外扉１００ａの下面に係止して取付ける。  
一方、フロントカバー１０１の右側縁部は、図１２〜図１４に示すように、側部金具１５０を用いて外扉１００ａの右側縁部に固定する。
【００７３】
つまり、フロントカバー１０１を、上述のようにして外扉１００ａの正面が覆われるように取付けるので、前記実施形態と略同等の作用及び効果を奏することができる。
【００７４】
また、取付け金具１０４を、上部フック１２１側と下部フック１３３側とに上下分離して、フロントカバー１０１の背面上部と背面下部とにそれぞれ取付けるので、例えば連結部材等にて上部フック１２１と下部フック１３３を連結して取付けるよりも、その連結部材を取り除いた重量分だけ、フロントカバー１０１全体の重量が軽くなる。
【００７５】
この結果、フロントカバー１０１を持ち上げた際の重量が軽く、外扉１００ａの正面に取付ける作業が比較的容易に行える。  
この発明の構成と、前記実施形態との対応において、  
この発明の自動販売機の外扉は、実施形態の外扉１００ａに対応し、
以下同様に、
カバー取付け具は、取付け金具１０４に対応し、  
上部係止具は、上部金具１２０に対応し、  
下部係止具は、下部金具１３０に対応し、  
上部固定部及び下部固定部は、下部固定部１３０に対応し、  
バネ部は、下部連結部１３１に対応し、  
側部取付け具は、側部金具１５０に対応し、  
外扉の背面に装着するフック部は、側面フック１５１に対応し、  
フロントカバーの開閉側に固定する挟持部は、側面挟持部１５３に対応し、  
固定手段は、ネジ１１６に対応するも、  
この発明は、上述の実施形態の構成のみに限定されるものではなく、請求項に示される技術思想に基づいて応用することができ、多くの実施の形態を得ることができる。  
例えば下部金具１３０の下部フック１３３を、外扉１００ａの正面と対向する前後方向に対して揺動可能に設けてもよい。  
また、取付け金具１０４を、外扉１００ａの左右背面にそれぞれ取付けてもよく、この場合、側部金具１５０を用いることなく、フロントカバー１０１を外扉１００ａの正面に取付けることができる。
【符号の説明】
【００７６】
１００…自動販売機
１００ａ…外扉
１０１…フロントカバー
１０１ａ，１０１ｂ…ネジ孔
１０４…取付け金具
１０７…ヒンジ
１１６…ネジ
１２０…上部金具
１２１…上部フック
１２２…上部連結部
１２２ｆ…ネジ孔
１３０…下部金具
１３１…下部連結部
１３２…下部固定部
１３３…下部フック
１５０…側部金具
１５１…側面フック
１５２…側面当接部
１５３…側面挟持部
【図１】
0005707220.tif 000002
【図２】
0005707220.tif 000003
【図３】
0005707220.tif 000004
【図４】
0005707220.tif 000005
【図５】
0005707220.tif 000006
【図６】
0005707220.tif 000007
【図７】
0005707220.tif 000008
【図８】
0005707220.tif 000009
【図９】
0005707220.tif 000010
【図１０】
0005707220.tif 000011
【図１１】
0005707220.tif 000012
【図１２】
0005707220.tif 000013
【図１３】
0005707220.tif 000014
【図１４】
0005707220.tif 000015
【図１５】
0005707220.tif 000016
【図１６】
0005707220.tif 000017